(57)【要約】  【課題】ベースと、該ベースとの間で紙葉類を挟持可能な位置に配され少なくとも幅方向両側縁が紙葉類と当接可能な紙押さえ部とを有する綴じ具において、紙押さえ部により紙葉類を均等に押圧し、紙葉類を安定して保持することができるようにする。  【解決手段】ベース２と、該ベース２との間で紙葉類を挟持可能な位置に配され少なくとも幅方向両側縁が紙葉類と当接可能な紙押さえ部３と、前記紙押さえ部３を前記ベース２に接離させる操作力を受け付ける操作部たるレバー５と、前記操作部５を綴じ位置に係止するストッパＳと、前記レバー５を綴じ位置に位置させている際に前記紙押さえ部３を前記ベース２側に弾性的に付勢する付勢要素たるねじりコイルバネ部材６とを具備する綴じ具１に、前記紙押さえ部３の幅方向中間部に他の部位に優先して前記付勢要素と当接する付勢力受部３３３を設ける。  【選択図】図８
2006095860.tif 000002
【特許請求の範囲】
【請求項１】
ベースと、該ベースとの間で紙葉類を挟持可能な位置に配され少なくとも幅方向両側縁が紙葉類と当接可能な紙押さえ部と、前記紙押さえ部を前記ベースに接離させる操作力を受け付ける操作部と、前記操作部を綴じ位置に係止するストッパと、前記操作部を綴じ位置に位置させている際に前記紙押さえ部を前記ベース側に弾性的に付勢する付勢要素とを具備するものであって、前記紙押さえ部の幅方向中間部に他の部位に優先して前記付勢要素と当接する付勢力受部を設けていることを特徴とする綴じ具。
【請求項２】
前記紙押さえ部が、横断面視下方に開口するコの字状をなすことを特徴とする請求項１記載の綴じ具。
【請求項３】
前記紙押さえ部に幅寸法を減じて形成した凹部を設けているとともに、この凹部に前記付勢力受部を形成していることを特徴とする請求項２記載の綴じ具。
【請求項４】
前記凹部を、前記紙押さえ部の上部のみに形成していることを特徴とする請求項３記載の綴じ具。
【請求項５】
前記紙押さえ部の前記付勢力受部近傍の部位の下縁を、他の部位より上方に位置させていることを特徴とする請求項２、３又は４記載の綴じ具。
【請求項６】
前記付勢力受部に、前記付勢要素と当接する当接面を形成していることを特徴とする請求項１、２、３、４又は５記載の綴じ具。
【請求項７】
前記付勢力受部を１箇所のみに設けていることを特徴とする請求項１、２、３、４、５又は６記載の綴じ具。
【請求項８】
前記付勢力受部を互いに近接させて複数箇所に設けていることを特徴とする請求項１、２、３、４、５又は６記載の綴じ具。
【請求項９】
前記付勢要素が、前記ベースに枢着され、一端部を前記操作部、他端部を前記紙押さえ部にそれぞれ接続してなるねじりコイルバネ部材であることを特徴とする請求項１、２、３、４、５、６、７又は８記載の綴じ具。
【請求項１０】
前記紙押さえ部の反綴じ側に、前記ねじりコイルバネ部材を貫通させるためのバネ部材挿通孔を設けているとともに、前記操作部が係止位置に係止している際の前記ねじりコイルバネ部材の下端より前記バネ部材挿通孔の下端縁が下方に位置することを特徴とする請求項９記載の綴じ具。
【請求項１１】
ベースと、該ベースとの間で紙葉類を挟持可能な位置に配され少なくとも幅方向両側縁が紙葉類と当接可能な紙押さえ部と、前記紙押さえ部を前記ベースに接離させる操作力を受け付ける操作部と、前記操作部を綴じ位置に位置させている際に前記紙押さえ部を前記ベース側に付勢する付勢要素とを具備するものであって、前記紙押さえ部の幅方向中間部に他の部位に優先して前記付勢要素と当接する付勢力受部を設けていることを特徴とする綴じ具。
【発明の詳細な説明】
【技術分野】
【０００１】
本発明は、ベースと紙押さえ部との間に紙葉類を挟持可能な綴じ具に関する。
【背景技術】
【０００２】
従来より、ファイル等に適用されるベースと、綴じ込み位置と非綴じ込み位置との間を移動可能でありベースとの間に紙葉類を押さえた状態で綴じ込み可能な紙押さえ部と、紙押さえ部を綴じ込み位置と非綴じ込み位置に操作可能な操作部とを具備するレバー式の綴じ具が知られている。このような綴じ具において、前記紙押さえ部は、リンク機構を介して前記綴じ込み位置と前記非綴じ込み位置との間を移動可能に前記基板に接続されていて、このリンク機構はベースの長手方向に対して傾斜を有するアーム部を有するリンクメンバを具備している。（例えば、特許文献１を参照。）
【特許文献１】特開２００３−２９１５７３号公報
【発明の開示】
【発明が解決しようとする課題】
【０００３】
しかして、特許文献１記載の構成では、ねじりコイルばね部材の一端部を紙押さえ部に挿通させ、紙押さえ部の端縁及び幅方向中間部において支持する構成を採用しているが、紙葉類を綴じ込んだ際に、ねじりコイルバネ部材の紙押さえ部に挿通させた側の端部は必ずしも水平にはならず、紙葉類を配した側にむけて上昇する形状となることが多い。その際、ねじりコイルばね部材が紙押さえ部の端縁に設けた挿通孔の下縁に当接し、幅方向中間部に設けた挿通孔の上縁に当接すると、ねじりコイルばね部材は紙押さえ部の片側のみを押圧し、紙葉類を安定して押圧できなくなる不具合が発生し得る。
【０００４】
本発明は、上記問題を解決すべく構成するものである。
【課題を解決するための手段】
【０００５】
すなわち本発明に係る綴じ具は、ベースと、該ベースとの間で紙葉類を挟持可能な位置に配され少なくとも幅方向両側縁が紙葉類と当接可能な紙押さえ部と、前記紙押さえ部を前記ベースに接離させる操作力を受け付ける操作部と、前記操作部を綴じ位置に係止するストッパと、前記操作部を綴じ位置に位置させている際に前記紙押さえ部を前記ベース側に弾性的に付勢する付勢要素とを具備するものであって、前記紙押さえ部の幅方向中間部に他の部位に優先して前記付勢要素と当接する付勢力受部を設けていることを特徴とする。
【０００６】
このようなものであれば、前記付勢力受部が前記付勢要素と当接して前記付勢要素から付勢力を受けるようにしているので、紙押さえ部が紙葉類を均等に押圧するようにでき、従って紙葉類を安定して保持することができるようになる。
【０００７】
なお、「前記紙押さえ部の幅方向中間部」とは、紙押さえ部が紙葉類と当接可能な部位の両側縁部よりも内側の領域を含む概念である。
【０００８】
このような紙押さえ部を容易に得ることができる構成として、前記紙押さえ部が、横断面視下方に開口するコの字状をなすものが挙げられる。
【０００９】
特に、前記紙押さえ部に幅寸法を減じて形成した凹部を設けているとともに、この凹部に前記付勢力受部を設けているものであれば、簡単な構成で前記紙押さえ部の幅方向中間部に前記付勢力受部を設けることができる。
【００１０】
さらに、前記凹部を、前記紙押さえ部の上部のみに形成しているものであれば、この凹部に設けた付勢力受部からの付勢力を前記紙押さえ部の底面に均等に伝達してより効果的に紙押さえ部が紙葉類を均等に押圧するようにできる効果を実現できる。
【００１１】
また、紙押さえ部が紙葉類を均等に押圧する効果をより確実に実現できる態様として、前記紙押さえ部の前記付勢力受部近傍の部位の下縁を、他の部位より上方に位置させているものが挙げられる。このようなものであれば、前記付勢力受部近傍の部位の下縁のみが紙葉類に当接してしまう不具合の発生を防げるからである。
【００１２】
紙押さえ部が紙葉類をより安定して保持できるようにするための態様として、前記付勢力受部に、前記付勢要素と当接する当接面を形成しているものが挙げられる。このようなものであれば、前記付勢要素を前記当接面に面的に当接させることができるからである。
【００１３】
紙押さえ部が紙葉類を均等に押圧する効果をさらに確実に実現できる態様として、前記付勢力受部を１箇所のみに設けているもの、及び前記付勢力受部を互いに近接させて複数箇所に設けているものが挙げられる。
【００１４】
このような綴じ具を簡単な構成で実現できる態様として、前記付勢要素が、前記ベースに枢着され、一端部を前記操作部、他端部を前記紙押さえ部にそれぞれ接続してなるねじりコイルバネ部材であるものが挙げられる。
【００１５】
前段で述べた綴じ具において、前記付勢力受部を他の部位よりも確実に優先して前記ねじりコイルバネ部材に当接させるための態様として、前記紙押さえ部の反綴じ側に、前記ねじりコイルバネ部材を貫通させるためのバネ部材挿通孔を設けているとともに、前記操作部が係止位置に係止している際の前記ねじりコイルバネ部材の下端より前記バネ部材挿通孔の下端縁が下方に位置するものが挙げられる。
【００１６】
また、本発明に係る綴じ具の他の態様として、ベースと、該ベースとの間で紙葉類を挟持可能な位置に配され少なくとも幅方向両側縁が紙葉類と当接可能な紙押さえ部と、前記紙押さえ部を前記ベースに接離させる操作力を受け付ける操作部と、前記操作部を綴じ位置に位置させている際に前記紙押さえ部を前記ベース側に付勢する付勢要素とを具備するものであって、前記紙押さえ部の幅方向中間部に他の部位に優先して前記付勢要素と当接する付勢力受部を設けていることを特徴とするものが挙げられる。
【００１７】
このようなものであっても、前記付勢力受部が前記付勢要素と当接して前記付勢要素から付勢力を受けるようにしているので、紙押さえ部が紙葉類を均等に押圧するようにでき、従って紙葉類を安定して保持することができるようになる。なお、前記付勢要素は、付勢要素自体の弾性力を利用して前記紙押さえ部を前記ベース側に付勢するものだけでなく、例えばネジ部材の緊締力を利用して前記ベースと前記紙押さえ部との間に紙葉類を挟持させるもの等、紙葉類を挟持された際の反発力を利用するものであってもよい。
【発明の効果】
【００１８】
本発明に係る綴じ具は、紙押さえ部の幅方向中間部に付勢要素と当接する付勢力受部を設け、この付勢力受部を介して前記付勢要素から紙葉類側への作用を受けるので、紙押さえ部が紙葉類を均等に押圧するようにでき、従って紙葉類を安定して保持することができる。
【発明を実施するための最良の形態】
【００１９】
本発明に係る綴じ具１は、例えば図１に示すように、書類等の紙葉類Ｐを綴じた状態で収納可能なファイルＦに適用されるものである。このファイルＦは、表紙体Ｈと、この表紙体Ｈの内面に一体的に取付けられる綴じ具１とを有する。
【００２０】
先ず、この表紙体Ｈについて簡単に説明しておくと、この表紙体Ｈは、例えば合成樹脂素材からなる一体成形品であり、背表紙Ｈ１と、背表紙Ｈ１を挟んで一対にして設けた表表紙Ｈ２及び裏表紙Ｈ３とを有するものである。この表紙体Ｈは、背表紙Ｈ１と表表紙Ｈ２との境界部分、及び背表紙Ｈ１と裏表紙Ｈ３との境界部分にそれぞれヒンジとして機能する溝部Ｍを設け、これら溝部Ｍを利用して谷折りに折畳可能に構成されている。
【００２１】
綴じ具１は、斜視図を図２、正面図を図３の（ａ）、平面図を同図の（ｂ）、側面図を同図の（ｃ）にそれぞれ図示するように、表紙体Ｈに固定され、基板たるベース本体２１を有するベース２と、このベース本体２１との間に紙葉類Ｐを挟持可能な位置に配される紙押さえ部３と、この紙押さえ部３を前記ベース２に接離可能に支持するリンクメンバ４と、前記紙押さえ部３を前記ベース２に接離させる操作力を受け付ける操作部たるレバー５と、このレバー５を綴じ位置に係止するストッパＳと、前記ベース２に枢着され、一端部を前記紙押さえ部３に、他端部を前記レバー５にそれぞれ接続してなるねじりコイルバネ部材６とを具備するものである。
【００２２】
ベース２は、前記図２ないし図４に示すように、また、平面図を図５の（ａ）、綴じ側側面図を同図の（ｂ）に、さらに図５におけるａ−ａ断面図を図６にそれぞれ図示するように、薄板状の金属性素材を用いて成形されたものであり、表紙体Ｈの上下方向に沿って延びる基板たるベース本体２１と、このベース本体２１の短手方向の一端縁から上方に連続して起立する起立壁２２とを有する一体成形品である。ベース本体２１には、その長手方向両端部近傍に固定用孔２１１が形成され、これらの固定用孔２１１に図示しないリベットを挿入して表紙体Ｈにベース１を固定している。また、ベース本体２１の短手方向の他端部には、長手方向に沿って延びるリブ状の隆起部２１２を形成し、この隆起部２１２によって、綴じ込まれる書類Ｓに脱落させないための抵抗を付与するようになっている。さらに、このベース本体２１の長手方向両端部近傍の幅方向中央部を部分的に切り起こして起立させて前記リンクメンバ４を枢支するリンクメンバ支持部２１３、２１３を形成し、また、このベース本体２１の長手方向中央部近傍を部分的に切り起こしてねじりコイルバネ部材６を枢支するバネ支持壁２１４を形成している。前記リンクメンバ支持部２１３、２１３の上部には、前記リンクメンバ４の後述するアーム部４１を収納可能な凹部２１３ｂ、２１３ｂを形成し、この凹部２１３ｂ、２１３ｂの中心には前記リンクメンバ４の後述する基端部４２を挿通可能なリンクメンバ挿通孔２１３ｘ、２１３ｘを形成している。そして、前記リンクメンバ支持部２１３、２１３の前記凹部２１３ｂ、２１３ｂ以外の箇所を紙当て部とし、この紙当て部に紙葉類Ｐを当接可能な当接面２１３ａ、２１３ａを形成している。一方、起立壁２２には、リンクメンバ支持部２１３、２１３に形成した前記リンクメンバ挿通孔２１３ｘ、２１３ｘに対応する位置にリンクメンバ支持孔２２ｘ、２２ｘがそれぞれ形成されているとともに、このリンクメンバ支持孔２２ｘ、２２ｘ周辺の外面に、前記リンクメンバ４の基端が突出することを防ぐ凹部２２ｙ、２２ｙを形成している。
【００２３】
紙押さえ部３は、前記図２ないし図４に示すように、また、反綴じ側側面図を図７の（ａ）、平面図を同図の（ｂ）、綴じ側側面図を同図の（ｃ）に、さらに図７におけるｂ−ｂ断面図を図８にそれぞれ図示するように、例えば一枚の薄板状の金属製素材をプレス成形した一体成形品であり、紙葉類Ｐを綴じる際に紙葉類Ｐを上方から圧接するとともに、側断面視略コの字状をなす。すなわち、この紙押さえ部３は、平面視ベース２の長手方向に沿って延伸する矩形状をなす平板部３１と、この平板部３１の前記起立壁２２側の端縁から垂下する第１側壁３２と、前記平板部３１の反対側の端縁から垂下する第２側壁３３とを有する。さらに、第１側壁３２には、前記リンクメンバ４の回動端部４３が挿入される第１軸受孔３２１、及びねじりコイルバネ部材６の後述する屈曲軸６２が挿入される第２軸受孔３２２が形成されているとともに、第２側壁３３には、前記リンクメンバ４の回動端部４３が挿入される第３軸受孔３３１、及びねじりコイルバネ部材６の後述する屈曲軸６２が挿入される第４軸受孔３３２が形成されている。すなわち、前記リンクメンバ４の回動端部４３は、前記第１軸受孔３２１及び第３軸受孔３３１を順に通過してこの紙押さえ部３を貫通する。また、ねじりコイルバネ部材６の屈曲軸６２は、前記図８に想像線で示しているように、前記第２軸受孔３２２及び第４軸受孔３３２を順に通過してこの紙押さえ部３を貫通する。そして、前記第２側壁３３のこれら第３軸受孔３３１及び第４軸受孔３３２近傍の部位に、幅寸法を減じさせて凹部３３ａ、３３ｂをそれぞれ形成している。さらに、前記第４軸受孔３３２の上縁部からは、ねじりコイルバネ部材６に当接する付勢力受部部３３３を第１側壁３２側に延伸して設けている。そして、この付勢力受部３３３の上面を、前記ねじりコイルバネ部材６と面的に当接可能な付勢力受面３３３ａとしている。
【００２４】
前記リンクメンバ４は、図９の（ａ）に正面図、同図の（ｂ）に側面図をそれぞれ示すように、アーム部４１の両端から基端部４２及び回動端部４３を相反する方向に延伸させたクランク状をなす線状部材であり、前記図６に想像線で示しているように、前記基端部４２を前記リンクメンバ支持部２１３及び前記起立壁２２に枢支させているとともに、前記回動端部４３を上述したように前記紙押さえ部３に貫通させるようにしている。また、本実施形態では、前記回動端部４３のうち、前記紙押さえ部３に収納される部位の径を他の部位の径よりも大きくして大径部４３１を形成しているとともに、前記第１軸受孔３２１の一部を、前記大径部４３１が通過可能な取付口３２１ａとしている。
【００２５】
レバー５は、例えば一枚の薄板状の金属性素材からなる一体成形品である。なお、以下の説明においては、ベース２に取り付けられる一端部を取付端部とし、他端部を自由端部とする。このレバー５の取付端部の反綴じ側側面には、固定ピンＮが挿入可能な挿入孔（図示省略）を形成しているとともに、綴じ側側面の対応箇所はこの固定ピンＮを通過可能に切り欠いてある。
【００２６】
前記ストッパＳは、前記第１側面部５２から外方かつ上方に突出して設けられる係合爪５４と、レバーを前記綴じ込み位置に位置させた際にこの係合爪５４と係合可能に前記ベース２の起立壁２２に形成した前記係合孔２２ｋとにより形成され、これらを係合させることにより機能する。
【００２７】
ねじりコイルバネ部材６は、例えば１本の金属製線状体を用いて形成したものであり、略円筒状に巻いたコイル状部６１と、このコイル状部６１の一端から延び所定箇所を適宜の角度で二段階に折り曲げてなる屈曲軸６２と、コイル状部６１の他端から直線状に延長させてなる係合軸６３とにより構成されている。コイル状部６１は、その内面に固定ピンＮが貫通するように設定されていて、上述したようにベース２に枢支させるようにしている。屈曲軸６２は、前記紙押さえ部３を貫通し、この紙押さえ部３の付勢力受部３３３に当接する。そして、前記レバー５が綴じ位置に係止されている際には、この付勢力受部３３３を下方に付勢している。すなわち、このねじりコイルバネ部材６は、請求項中の付勢要素としての機能を有する。係合軸６３は、操作部本体４１の長手寸法より若干小さい寸法を有するものであり、前記操作部４の第２側面部４３の下縁部から第１側面部４２側に延伸して設けたバネ止め部４５に当接している。そして、前記レバー５が綴じ位置に係止されている際には、前記レバー５を上方に付勢している。なお、前記屈曲軸６２の端部は、前記紙押さえ部３が紙葉類に当接しているとともに係合爪４４が前記係合孔２２ｋと係合していない状態においては紙葉類に向かう側に傾斜している。
【００２８】
また、本実施形態では、前記起立壁２２、前記紙押さえ部３、及び前記リンクメンバ４、４からなる平行リンク機構を形成していて、前記紙押さえ部３は、この平行リンク機構を介して紙葉類に当接する位置である綴じ位置と開放位置との間を前記ベース本体２１と平行を保ちつつ移動可能である。
【００２９】
しかして本実施形態では、前記紙押さえ部３の幅方向中間部に位置する前記付勢力受部３３３が、優先して前記屈曲軸６２に当接するようにしている。
【００３０】
すなわち、前記レバー５を綴じ位置に係止している際に、前記ねじりコイルバネ部材６の屈曲軸６２は、第１軸受孔３２１側から第３軸受孔３３１側に向けて上方に傾斜しているが、第１軸受孔３２１の下縁はこの屈曲軸６２の下端よりも下方に位置し、また、第３軸受孔３３１の上縁は該屈曲軸６２の上端よりも上方に位置していて、前記ねじりコイルバネ部材６が前記付勢力受部３３３の前記付勢力受面３３３ａのみに当接するようにしている。
【００３１】
このように構成することにより、前記紙押さえ部３は、幅方向中間部に位置する前記付勢力受部３３３のみにおいて前記ねじりコイルバネ部材６に当接して紙葉類Ｐに向かう方向に付勢されるので、この紙押さえ部３の反綴じ側の端縁に位置する第１側壁３２及び綴じ側の端縁に位置する第２側壁３３が略均等に紙葉類Ｐに向かう方向に付勢される。すなわち、紙押さえ部３が紙葉類Ｐを均等に押圧するようにでき、従って紙葉類Ｐを安定して保持することができるようになる。
【００３２】
前記紙押さえ部３が、横断面視下方に開口するコの字状をなすので、上述したように例えば一枚の薄板状の金属製素材をプレス成形してこのような紙押さえ部３を容易に得ることができる。
【００３３】
さらに、前記紙押さえ部３に幅寸法を減じて形成した凹部３３ｂを設けているとともに、この凹部３３ｂに前記付勢力受部３３３を設けているので、簡単な構成で前記紙押さえ部３の幅方向中間部に前記付勢力受部３３３を設けることができる。
【００３４】
また、前記紙押さえ部３の前記付勢力受部３３３近傍の部位である凹部３３ｂの下縁を第２側壁３３の他の部位よりも上方となるように形成しているので、この部位は常に紙葉類Ｐと離間する。従って、前記付勢力受部近傍３３３の部位のみが紙葉類Ｐに当接してしまう不具合の発生を防ぐことができ、紙押さえ部３が紙葉類Ｐを均等に押圧する効果をより確実に実現できる。
【００３５】
前記付勢力受部３３３に、前記ねじりコイルバネ部材６と当接する付勢力受面３３３ａを形成しているので、前記ねじりコイルバネ部材６を前記付勢力受面３３３ａに面的に当接させることができ、従って、紙押さえ部３が紙葉類をより安定して保持できる。
【００３６】
加えて、前記付勢力受部３３３を１箇所のみに設けているので、紙押さえ部３は付勢力を幅方向中間部の１箇所のみで受けて、紙押さえ部３が紙葉類Ｐを均等に押圧する効果をさらに確実に実現できる。
【００３７】
前記ベース２に枢着され、係合軸６３を前記レバー５、屈曲軸６２を前記紙押さえ部３にそれぞれ接続してなる前記ねじりコイルバネ部材６を付勢要素としているので、簡単な構成によりこのような綴じ具１を実現できる。
【００３８】
前記紙押さえ部３の反綴じ側に位置する第１側壁３２に、前記ねじりコイルバネ部材６を貫通させるための第１軸受孔３２１を設けているとともに、前記レバー５が綴じ位置に係止している際の前記ねじりコイルバネ部材６の屈曲軸６２の下端より前記第１軸受孔３２１の下端縁を下方に位置させているので、前記付勢力受部３３３を他の部位よりも確実に優先して前記ねじりコイルバネ部材６に当接させることができる。
【００３９】
なお、本発明は以上に述べた実施の形態に限られない。
【００４０】
例えば、上述した実施形態における紙押さえ部３に代えて、以下に述べるような紙押さえ部３０を採用してもよい。
【００４１】
この紙押さえ部３０は、横断面図を図１０の（ａ）に示すように、綴じ側の長手方向中央部の上部に凹部３０ｘを切り欠いて形成しているとともに、この凹部３０ｘにねじりコイルバネ部材６の屈曲軸６２が通過可能なばね挿通孔３０ｘ１を形成し、このばね挿通孔３０ｘ１にばね部材６の屈曲軸６２を当接させるようにしている。すなわち、前記ばね挿通孔３０ｘ１の開口端縁が請求項中の付勢力受部として機能するようにしている。
【００４２】
また、横断面図を図１０の（ｂ）に示すように、中実な紙押さえ部１０３にねじりコイルバネ部材６の屈曲軸６２が通過可能なばね挿通孔１０３ｘを形成する態様において、ばね部材６の屈曲軸６２側に付勢力付与部６２１を下方に屈曲させて形成し、この付勢力付与部６２１をばね挿通孔１０３ｘの中間部に当接させる構造の付勢力受部を形成してもよい。
【００４３】
さらに、付勢力受部は互いに近接させて複数箇所に形成してもよい。例えば、横断面図を図１０の（ｃ）に示すように、平板部３００１、平板部３００１の反綴じ側端縁から垂下して設けられる第１側壁３００２、平板部３００１の綴じ側端縁から垂下して設けられる第２側壁３００３を有する紙押さえ部３００において、前記第１側壁３００２及び第２側壁３００３からそれぞれ側上方かつ相寄る方向にバネ支持壁３００４、３００５をそれぞれ延伸して設け、これらバネ支持壁３００４、３００５の延伸端を付勢力受部としてもよい。
【００４４】
その他、本発明の趣旨を損ねない範囲で種々に変形してよい。
【図面の簡単な説明】
【００４５】
【図１】本発明の一実施形態に係る綴じ具を用いたファイルを示す全体斜視図。
【図２】同実施形態に係る綴じ具を示す全体斜視図。
【図３】同実施形態に係る綴じ具を示す全体斜視図。
【図４】同実施形態に係る綴じ具を示す平面図、綴じ側側面図、及び正面図。
【図５】同実施形態に係るベースを示す平面図及び側面図。
【図６】図５におけるａ−ａ断面を示す図。
【図７】同実施形態に係る紙押さえ部を示す反綴じ側側面図、平面図、及び綴じ側側面図。
【図８】図７におけるａ−ａ断面を示す図。
【図９】同実施形態に係るリンクメンバを示す図。
【図１０】本発明の他の実施形態に係る紙押さえ部を示す断面図。
【符号の説明】
【００４６】
１…綴じ具
２…ベース
３…紙押さえ部
３３ｂ…凹部
３２１…第１軸受孔
３２２…第２軸受孔
３３１…第３軸受孔
３３２…第４軸受孔
３３３…付勢力受部
３３３ａ…付勢力受面
４…リンクメンバ
５…レバー（操作部）
６…ねじりコイルバネ部材（付勢要素）
６２…屈曲軸
６３…係合軸
【図１】
2006095860.tif 000003
【図２】
2006095860.tif 000004
【図３】
2006095860.tif 000005
【図４】
2006095860.tif 000006
【図５】
2006095860.tif 000007
【図６】
2006095860.tif 000008
【図７】
2006095860.tif 000009
【図８】
2006095860.tif 000010
【図９】
2006095860.tif 000011
【図１０】
2006095860.tif 000012